(57)【要約】【解決手段】クラブ、スペード、ハート、ダイヤの各１３枚（合計５２枚）のカードａ，ａの片面に、答えが１〜１３となる加減乗除のいずれかの計算式ｂを印刷によって表示する。前記計算式ｂの答えをしてクラブ、スペード、ハート、ダイヤの各カードａ，ａの１〜１３を表わしている。【効果】このトランプカードを用いれば、通常のトランプ遊びを通して加減乗除のいずれかの計算式ｂを解くことによる学習効果が得られる。しかも、従来と同様の各種トランプ遊びをする際、どのカードがクラブ、スペード、ハート、ダイヤの１〜１３に相当するかを、前記計算式ｂを解くことによりさらに求めなければならないので、学習効果が増大する。加減乗除の式を組み合わせて難しくすると、トランプ遊びを通して難解な計算式を解くことによるさらなる学習効果が期待できる。【選択図】図１
0003127622.tif 000002
【実用新案登録請求の範囲】
【請求項１】
クラブ、スペード、ハート、ダイヤの各１３枚のカードに、答えが１〜１３となる加減乗除のいずれかの計算式を表示し、その答えをしてクラブ、スペード、ハート、ダイヤの各カードの１〜１３を表わすことを特徴とするトランプカード。
【請求項２】
答えが１〜１３となる加減乗除のいずれかの計算式を表示したクラブ、スペード、ハート、ダイヤの各１３枚のカード以外に、答えが０となる加減乗除のいずれかの計算式を表示したカードを有し、前記計算式の答えをしてそのカードをジョーカーとすることを特徴とする請求項１記載のトランプカード。
【請求項３】
加減乗除の式を組み合わせて計算式を難しくすることを特徴とする請求項１又は２記載のトランプカード。
【考案の詳細な説明】
【技術分野】
【０００１】
本考案は、クラブ、スペード、ハート、ダイヤの各１３枚のカードに、答えが１〜１３となる加減乗除のいずれかの計算式を表示したトランプカードに関するものである。
【背景技術】
【０００２】
５２枚ある従来のトランプカードには、そのコーナー付近にクラブ、スペード、ハート、ダイヤの４組の記号とＡ〜１０の数字ならびにＪ、Ｑ、Ｋの絵文字が印刷され、それよりも内側には、Ａ〜１０の数字に相当する数の記号と、Ｊ、Ｑ、Ｋについてはジャック、クイーン、キングの絵とが組ごとに印刷されているのが一般的である。そして、この種のトランプカードでは、通常のトランプ遊びしかできない。
【０００３】
一方、通常のトランプカードに九九の掛け算の式とその答えを表示したトランプが提案されている（例えば、特許文献１参照）。
【０００４】
【特許文献１】実開昭５４−８０３８７号公報
【考案の開示】
【考案が解決しようとする課題】
【０００５】
上述した通常のトランプカードでは、遊びを通して知識を得ることができない。一方、前記特許文献１に記載されたトランプカードでは、掛け算を覚えることしかできないのみならず、答えが一緒に印刷されているので、丸暗記には効果的かも知れないが、深く考えるのには適していない。
本考案は、遊びながら深く考えて加減乗除のいずれかの式からその答えを導き出すという学習効果を発揮できるようにしたものである。
【課題を解決するための手段】
【０００６】
上記目的を達成するために、本考案では、クラブ、スペード、ハート、ダイヤの各１３枚のカードに、答えが１〜１３となる加減乗除のいずれかの計算式が表示され、その答えをしてクラブ、スペード、ハート、ダイヤの各カードの１〜１３を表わすものとする。
本考案のトランプカードによれば、通常のトランプ遊びを通して加減乗除のいずれかの計算式を解くことによる学習効果が得られる。しかも、従来と同様の各種トランプ遊びをする際、どのカードがクラブ、スペード、ハート、ダイヤの１〜１３に相当するかを、前記計算式を解くことによりさらに求めなければならないので、学習効果が増大する。
【０００７】
答えが１〜１３となる加減乗除のいずれかの計算式を表示したクラブ、スペード、ハート、ダイヤの各１３枚のカード以外に、答えが０となる加減乗除のいずれかの計算式を表示したカードを有し、前記計算式の答えをしてそのカードをジョーカーとする。
この場合には、ジョーカーを使うトランプ遊びをしながらさらなる答えを求めなければならないので、学習効果がさらに増大する。
【０００８】
加減乗除の式を組み合わせて計算式ｂを難しくしてもよい。このようにすると、トランプ遊びを通して難解な計算式を解くことによるさらなる学習効果が期待できる。
【考案の効果】
【０００９】
請求項１記載の考案によれば、通常のトランプ遊びを通して加減乗除のいずれかの計算式を解くことによる学習効果が得られる。しかも、従来と同様の各種トランプ遊びをする際、どのカードがクラブ、スペード、ハート、ダイヤの１〜１３に相当するかを、前記計算式を解くことによりさらに求めなければならないので、学習効果が増大する。
【００１０】
請求項２記載の考案によれば、ジョーカーを使うトランプ遊びをしながらさらなる答えを求めなければならないので、学習効果がさらに増大する。
【００１１】
請求項３記載の考案によれば、トランプ遊びを通して難解な計算式を解くことによるさらなる学習効果が期待できる。
【考案を実施するための最良の形態】
【００１２】
本考案によるトランプカードの一例を、図面に基いて詳細に説明する。ここには、少なくとも５２枚のカードａからなる場合が例示されている。ジョーカーを１枚ないし２枚追加してもよい。
クラブ、スペード、ハート、ダイヤの各１３枚（合計５２枚）のカードのうち、クラブのカードを例に挙げて説明すると、１３枚のクラブのカードａ，ａの片面に、答えが１〜１３となる加減乗除のいずれかの計算式ｂが印刷によって表示されており、その答えをしてクラブの１３枚のカードａ，ａの１〜１３を表わすようにしてある。図１には、１〜９までの答えｃとなる計算式ｂを表示したクラブのカードの一例を、図２には、１０〜１３までの答えｃとなる計算式ｂを表示したクラブのカードの一例を示す。
【００１３】
答えが１〜１３となる加減乗除のいずれかの計算式ｂは、クラブの１３枚の各カードａ，ａの対角線上のコーナーｃ付近のクラブの記号ｄ付近と、各カードａ，ａの中央部分ｅとに印刷によって表示されている。１枚のカードａの異なる２つの位置に表示されている２つの計算式ｂ，ｂは同じ式である。クラブの記号ｄ付近に表示されている計算式ｂは、クラブの１３枚の各カードａ，ａの端縁に沿って設けられている。そして、クラブの１３枚のカードａ，ａの中央部分ｅに表示されている計算式ｂの表示は、各カードａ，ａの端縁に沿って表示されている計算式ｂのそれよりも大きくしてあるので、計算式ｂが見やすく、しかも、その計算式ｂの答えを求めやすい。
【００１４】
ここに例示した計算式ｂはあくまでも一例を示すものであって、これらのみに特定されるものではなく、答えが１〜１３となる式であれば自由に採用できる。また、ここでは、加減乗除のいずれかの式がクラブの１３枚の各カードａ，ａに１つだけ表示された場合が例示されているが、加減乗除の式を組み合わせて計算式ｂを難しくしてもよい。
このようにすると、トランプ遊びを通して難解な計算式ｂを解くことによるさらなる学習効果が期待できる。
【００１５】
図示はしないが、スペード、ハート、ダイヤの各カードについても、図１、図２に示すクラブのカードの場合と同様に、答えが１〜１３となる加減乗除のいずれかの計算式が表示されており、その答えをしてスペード、ハート、ダイヤの各カードの１〜１３を表わすようにしてある。計算式がスペード、ハート、ダイヤの各カードの対角線上のコーナー付近のスペード、ハート、ダイヤの記号付近と、各カードの中央部分とに表示されていること、１枚のカードの異なる２つの位置に表示されている２つの計算式が同じ式であること、スペード、ハート、ダイヤの記号付近に表示されている計算式が各カードの端縁に沿って設けられていること、スペード、ハート、ダイヤの各カードの中央部分に表示されている計算式の表示は各カードの端縁に沿って設けられている計算式のそれよりも大きくしてあることも、図１、図２に示すクラブのカードの場合と同様である。
【００１６】
このトランプカードを用いれば、通常のトランプ遊びを通して加減乗除のいずれかの計算式ｂを解くことによる学習効果が得られる。しかも、従来と同様の各種トランプ遊びをする際、どのカードがクラブ、スペード、ハート、ダイヤの１〜１３に相当するかを、前記計算式ｂを解くことによりさらに求めなければならないので、学習効果が増大する。
【００１７】
なお、クラブとスペードのカードａ，ａに表示されている前記計算式ｂの色は、通常のトランプカードのクラブとスペードの記号と同じ色、すなわち黒色に、また、ハートとダイヤのカードａに表示されている前記計算式ｂの色は、通常のトランプカードのハートとダイヤの記号と同じ色、すなわち赤色にして、カードａ面上で色を統一するのがよい。
【００１８】
ここには、答えが１〜１３となる加減乗除のいずれかの計算式ｂを表示したクラブ、スペード、ハート、ダイヤの各１３枚（合計５２枚）のカードａ，ａ以外に、図３においてａ’，ａ’で２枚のカードをさらに有する場合が例示されている。２枚のカードａ’，ａ’の片面には、答えが０となる加減乗除のいずれかの計算式ｂ’が表示されており、前記計算式ｂ’の答えをしてそのカードをジョーカーとする。
この場合には、ジョーカーを使うトランプ遊びをしながらさらなる答えを求めなければならないので、学習効果がさらに増大する。
【００１９】
ジョーカーとして使う２枚のカードａ’，ａ’の対角線上のコーナーｃ’付近には、クラブ、スペード、ハート、ダイヤの記号以外の記号ｄ’（一例として、図３では星印）が印刷によって表示されている。そして、答えが０となる加減乗除のいずれかの計算式ｂ’は、前記記号ｄ’付近と、２枚のカードａ’，ａ’の中央部分ｅ’とに印刷によって表示されている。１枚のカードａ’の異なる２つの位置に表示されている２つの計算式ｂ’，ｂ’は同じ式である。前記記号ｄ’付近に表示されている計算式ｂ’は、２枚のカードａ’，ａ’の端縁に沿って設けられている。そして、２枚のカードａ’，ａ’の中央部分ｅ’に表示されている計算式ｂ’の表示は２枚のカードａ’，ａ’の端縁に沿って表示されている計算式ｂ’のそれよりも大きくしてあるので、計算式ｂ’が見やすく、しかも、その計算式ｂ’の答えを求めやすい。
【００２０】
なお、ジョーカーとして使う２枚のカードａ’，ａ’のうち１枚のカードａ’に表示されている前記計算式ｂ’の色と前記記号ｄ’の色については、通常のトランプカードのクラブとスペードの記号と同じ色、すなわち黒色に、また、もう１枚のカードａ’に表示されている前記計算式ｂ’の色と前記記号ｄ’の色については、通常のトランプカードのハートとダイヤの記号と同じ色、すなわち赤色にするのがよい。
【産業上の利用可能性】
【００２１】
本考案によるトランプカードは、通常のトランプカードとして販売することができるのみならず、小学生向けの雑誌、マンガの付録に適用することもできる。
【図面の簡単な説明】
【００２２】
【図１】本考案によるトランプカードのうち、１〜９までの答えとなる計算式を表示したクラブのカードの一例を示す平面図である。
【図２】本考案によるトランプカードのうち、１０〜１３までの答えとなる計算式を表示したクラブのカードの一例を示す平面図である。
【図３】ジョーカーとして使う２枚のカードの一例を示す平面図である。
【符号の説明】
【００２３】
ａ、ａ’…カード、ｂ，ｂ’…計算式。
【図１】
0003127622.tif 000003
【図２】
0003127622.tif 000004
【図３】
0003127622.tif 000005